(57)【要約】      （修正有）【課題】遊技者に対して本来提供するゲーム性を確実に提供することのできる遊技機を提供する。【解決手段】入賞装置ユニット２１は、遊技球が入賞可能に形成された始動入賞口４５と、始動入賞口４５の上方であって始動入賞口４５とは水平方向に異なる位置に形成され、遊技球が流入可能な大きさに形成された流入口４２，４３と、少なくとも一部が流入口４２，４３の直下に位置するように配置されるとともに、流入口４２，４３から流入した遊技球を始動入賞口４５に向けて誘導する進出位置と遊技球をそのさらに下方に流下させる退避位置との間で進退可能に形成された第１球受け部材６３とを備え、流入口４２，４３から流入した遊技球が始動入賞口４５に向けて第１球受け部材６３上を転動している時に第１球受け部材６３が退避位置に退避すると、転動していた遊技球が落下してさらに第１球受け部材６３の下方に流下されるように構成した。【選択図】図３
2018000300.tif 000002
【特許請求の範囲】
【請求項１】
遊技盤に形成された遊技領域に遊技球が入賞する入賞装置が設けられている遊技機であって、
前記入賞装置は、
遊技球が入賞可能な大きさに形成された入賞口と、
前記入賞口の上方であって前記入賞口とは水平方向に異なる位置に形成され、前記遊技球が流入可能な大きさに形成された流入口と、
少なくとも一部が前記流入口の直下に位置するように配置されるとともに、前記流入口から流入した前記遊技球を前記入賞口に向けて誘導する進出位置と前記遊技球をそのさらに下方に流下させる退避位置との間で進退可能に形成され、前記遊技球が転動可能な球受け面が形成された球受け部材とを備え、
前記流入口から流入した遊技球が前記入賞口に向けて前記球受け面上を転動している時に前記球受け部材が前記進出位置から前記退避位置に退避すると前記球受け面上を転動していた前記遊技球が前記球受け面から落下して、さらに前記球受け面の下方に流下されるように構成したことを特徴とする遊技機。
【請求項２】
入賞装置は、該入賞装置のベースとなるベース部材と、前記ベース部材の前方に取り付けられたカバー体とを備え、
前記ベース部材又は前記カバー体の少なくとも一方には、流入口から流入して球受け面上を転動する遊技球を減速させる減速リブが形成されている請求項１記載の遊技機。
【請求項３】
流入口は、第１流入口と、前記第１流入口よりも入賞口から離れた位置に形成された第２流入口とからなり、
減速リブは、前記第１流入口に近い側が、球受け面の幅を順次狭くする斜面状に形成されており、前記第２流入口に近い側が、断面状に形成されている楔形に形成されている請求項２記載の遊技機。
【請求項４】
ベース部材には、前記球受け部材が進退する進退口が形成されるとともに、この前記進退口の下方に該進退口の長手方向と平行な方向に突出リブが形成されている請求項２又は３記載の遊技機。
【請求項５】
球受け部材を所定の時間だけ進出位置に位置させる第１時間と、
前記球受け部材を前記第１時間よりも長い所定の時間だけ進出位置に位置させる第２時間とが設定されており、
球受け部材は、
前記第１時間が設定されている時は、球受け面上を転動している遊技球が入賞口に到達する前に前記進出位置から前記退避位置に退避し、
前記第２時間が設定されている時は、前記球受け面上を転動している前記遊技球が前記入賞口に入賞するまでの間、前記進出位置に位置するように構成されている請求項１〜４のいずれかに記載の遊技機。
【発明の詳細な説明】
【技術分野】
【０００１】
本発明は、遊技盤の盤面に形成されている遊技領域に各種入賞装置が設けられている遊技機に関する。
【背景技術】
【０００２】
遊技機の中には、始動入賞口や大入賞口を備える各種の入賞装置が遊技盤の盤面に設けられているパチンコ遊技機がある。このパチンコ遊技機（以下では、パチンコ遊技機のことを単に「遊技機」と言う。）は、遊技の進行に応じて種々の演出が行われるように構成されており、それらの演出の中には、入賞装置の各種入賞口に遊技球が入賞することをきっかけにして始まるものもある。
【０００３】
この入賞装置には、いわゆるチューリップ式入賞装置と呼ばれる一対の羽根部材を開閉させるものや、扉部材を開閉させるもの等が使用されている。近年は、これらの態様の入賞装置の他に、いわゆるベロ式入賞装置と呼ばれるものが使用されている。
【０００４】
ベロ式入賞装置は、入賞口に球受け部材が配置されている。球受け部材は、流下してきた遊技球を入賞口に案内するためのもので、ソレノイド等の駆動装置によって進退されるように構成されている。この球受け部材は、通常は入賞口よりも後方に位置しており、遊技球が所定のゲートを通過した時等に、所定時間だけ入賞口よりも前方へ進出するようになっている。流下した遊技球は、球受け部材が入賞口よりも後方へ位置している場合には、入賞口へ案内されずにそのまま流下し、球受け部材が入賞口よりも前方へ進出している場合には、球受け部材によって入賞口へ案内される。
【０００５】
このようなベロ式入賞装置としては、次のようなものが知られている。例えば、球受け部材が入賞口の前方へ進出している場合には、入賞口の開口縁から球受け部材が遊技球を受ける受け面までの間隔を遊技球の直径よりも広くして、流下した遊技球が入賞口に流入しやすい状態にし、球受け部材が入賞口の後方に位置する場合には、入賞口の開口縁から受け面までの間隔を遊技球の直径未満となるように形成して、流下した遊技球が入賞口に流入しないようにしたベロ式入賞装置が知られている（例えば、特許文献１）。
【先行技術文献】
【特許文献】
【０００６】
【特許文献１】特開２００９−１８９４３７号公報
【発明の概要】
【発明が解決しようとする課題】
【０００７】
しかしながら、特許文献１に記載されている遊技機用の入球具及び遊技機の場合には、遊技の進行に応じて球受け部材が非常に短時間だけ進退した時にも遊技球が入賞口に入賞することがある。そのため、通常では入賞口に入賞することを想定していない遊技球が入賞口に入賞してしまい、そのために遊技機における遊技の進行が通常想定しているものと若干変化してしまうといったことがあった。このように、通常では想定していない遊技球が入賞口に入賞すると、本来遊技者に提供するはずの遊技の進行にバラつきが生じることになり、遊技機が本来遊技者に提供するゲーム性とは異なるゲーム性を提供することになると言った問題があった。
【０００８】
本発明は、このような問題点を鑑みてなされたものであり、遊技者に対して本来提供するゲーム性を確実に提供することのできる遊技機を提供することを目的とする。
【課題を解決するための手段】
【０００９】
本発明は、
（１）遊技盤に形成された遊技領域に遊技球が入賞する入賞装置が設けられている遊技機であって、前記入賞装置は、遊技球が入賞可能な大きさに形成された入賞口と、前記入賞口の上方であって前記入賞口とは水平方向に異なる位置に形成され、前記遊技球が流入可能な大きさに形成された流入口と、少なくとも一部が前記流入口の直下に位置するように配置されるとともに、前記流入口から流入した前記遊技球を前記入賞口に向けて誘導する進出位置と前記遊技球をそのさらに下方に流下させる退避位置との間で進退可能に形成され、前記遊技球が転動可能な球受け面が形成された球受け部材とを備え、前記流入口から流入した遊技球が前記入賞口に向けて前記球受け面上を転動している時に前記球受け部材が前記進出位置から前記退避位置に退避すると前記球受け面上を転動していた前記遊技球が前記球受け面から落下して、さらに前記球受け面の下方に流下されるように構成したことを特徴とする遊技機、
（２）入賞装置は、該入賞装置のベースとなるベース部材と、前記ベース部材の前方に取り付けられたカバー体とを備え、前記ベース部材又は前記カバー体の少なくとも一方には、流入口から流入して球受け面上を転動する遊技球を減速させる減速リブが形成されている上記（１）記載の遊技機、
（３）流入口は、第１流入口と、前記第１流入口よりも入賞口から離れた位置に形成された第２流入口とからなり、減速リブは、前記第１流入口に近い側が、球受け面の幅を順次狭くする斜面状に形成されており、前記第２流入口に近い側が、断面状に形成されている楔形に形成されている上記（２）記載の遊技機、
（４）ベース部材には、前記球受け部材が進退する進退口が形成されるとともに、この前記進退口の下方に該進退口の長手方向と平行な方向に突出リブが形成されている上記（２）又は（３）記載の遊技機、
（５）球受け部材を所定の時間だけ進出位置に位置させる第１時間と、前記球受け部材を前記第１時間よりも長い所定の時間だけ進出位置に位置させる第２時間とが設定されており、球受け部材は、前記第１時間が設定されている時は、球受け面上を転動している遊技球が入賞口に到達する前に前記進出位置から前記退避位置に退避し、前記第２時間が設定されている時は、前記球受け面上を転動している前記遊技球が前記入賞口に入賞するまでの間、前記進出位置に位置するように構成されている上記（１）〜（４）のいずれかに記載の遊技機を要旨とする。
【発明の効果】
【００１０】
本発明によれば、本来遊技者に提供するゲーム性を遊技者に対して提供することができ、遊技を安定かつスムーズに進行させ、遊技者に対して遊技の興趣を低減させずに遊技を行わせることができる。
【図面の簡単な説明】
【００１１】
【図１】本発明の実施の形態に係る遊技機の正面図である。
【図２】遊技機を構成する遊技盤の正面図である。
【図３】入賞装置ユニットを正面側から見た斜視図である。
【図４】入賞装置ユニットを正面側から見た斜視図である。
【図５】入賞装置ユニットの正面側から見た図である。
【図６】入賞装置ユニットを上面側から見た図である。
【図７】入賞装置ユニットを正面側から見た分解斜視図である。
【図８】入賞装置ユニットを背面側から見た分解斜視図である。
【図９】第１駆動機構の動作を説明するための説明図である。
【図１０】第１駆動機構の動作を説明するための説明図である。
【図１１】第２駆動機構の動作を説明するための説明図である。
【図１２】第２駆動機構の動作を説明するための説明図である。
【発明を実施するための形態】
【００１２】
本発明に係る遊技機の実施の形態について、図面を用いて詳細に説明する。なお、本明細書では、本発明に係る遊技機の例としてパチンコ遊技機を用いて説明するが、本発明はパチンコ遊技機以外の遊技機、例えばスロットマシン等にも適用することができる。また、本明細書においては、パチンコ遊技機（以下では、単に「遊技機」と言う。）及び遊技機を構成する各部材の「前側」、「後側」、「上側」、「下側」、「左側」及び「右側」は、遊技機を正面から見た場合における表面側（前面側）、背面側（後面側）、上側、下側、左側及び右側を示すものとする。また、本明細書においては、遊技球が各種入賞口に流入することを「入賞」と言い、遊技球が入賞することによって遊技者に払い出される遊技球のことを「賞球」と言う。
【００１３】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて形成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１４】
遊技機１は、遊技盤１１に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９が配置されている。また、遊技機１の上部には、音声を出力するためのスピーカ１０が設けられている。
【００１５】
図２に示すように、遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物１２の装飾枠１３を取り付けるための開口部１４が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。
【００１６】
遊技領域１６には、センター役物１２を取付固定するための開口部１４が略中央部に開口形成されている。また、遊技領域１６には、普通入賞装置１７、ゲート１８、入賞装置としての入賞装置ユニット２１が設けられている。さらに、遊技領域１６には、多数の誘導釘１９が打たれている。遊技領域１６を流下する遊技球は、誘導釘１９に衝突して流下方向を変化させながら、遊技領域１６の上部から下部に向かって流下する。遊技領域１６を流下する遊技球の一部は、各種入賞装置に設けられている各種入賞口（図示せず）に入賞する。また、また、遊技領域１６を流下する遊技球のうち、各種入賞口に入賞しなかった遊技球は、遊技領域１６の最下部に設けられているアウト口２０に流入する。
【００１７】
普通入賞装置１７は、遊技領域１６に複数個設けられている。これら普通入賞装置１７は、普通入賞口（図示せず）と、普通入賞口に遊技球が入賞したことを検知するセンサ部材（図示せず）を有しており、遊技球がこの普通入賞口に入賞したことをセンサ部材が検知すると、所定数（例えば１０個）の賞球を払い出すように構成されている。
【００１８】
ゲート１８は、遊技領域１６において、センター役物１２に対して左側に隣接する位置に設けられている。このゲート１８は、遊技領域１６を流下する遊技球が１個ずつ内部を通過することのできる大きさに開口形成されている。このゲート１８には、遊技球が通過したことを検知するセンサ部材（図示せず）が設けられており、このセンサによって遊技球が通過したことを検知すると、それを契機として後述する始動入賞口４５へ遊技球が入賞しやすい状態を形成するようになっている。この始動入賞口４５へ遊技球が入賞しやすい状態は、短い所定時間を所定回数だけ断続的に形成するようにしてもよいし上記した所定時間よりも長い時間だけ１回のみ形成するようにしてもよい。
【００１９】
入賞装置としての入賞装置ユニット２１は、遊技領域１６において、センター役物１２の下方に位置するように設けられている。この入賞装置ユニット２１は、一般入賞装置２２、始動入賞装置２３及び大入賞装置２４がユニット化されて構成されている。ここで、一般入賞装置２２は、遊技球が入賞すると所定数（例えば１０個）の賞球が払い出されるように構成されている入賞装置である。
【００２０】
また、始動入賞装置２３は、遊技機１の遊技状態を遊技者に不利な通常遊技状態から遊技者に有利な特別遊技状態に移行するか否かの抽選（大当り抽選）を行う契機となる入賞装置である。本実施の形態に係る遊技機１においては、始動入賞装置２３に遊技球が入賞する毎に大当り抽選が行われ、その大当り抽選の結果によって、以降の遊技を通常遊技状態で行うか、又は特別遊技状態で行うかが決定されるように構成されている。
【００２１】
大入賞装置２４は、遊技球が入賞すると所定数（例えば１０個）の賞球が払い出されるように構成されている入賞装置である。この大入賞装置２４は、遊技状態が通常遊技状態の時には遊技球が入賞しないようになっており、遊技状態が特別遊技状態に移行した時にのみ遊技球が入賞するようになっている。特別遊技状態においては、遊技領域１６を流下する遊技球の多くが大入賞装置２４に入賞するようになるので、遊技者は大量の賞球を獲得することができるようになる。
【００２２】
次に、入賞装置ユニット２１の構成を図３〜図８に基いて説明する。入賞装置ユニット２１は、カバー本体３１、案内路形成部３２、第２流入路形成体３４、第１流入路形成体３３、転動路形成体３５、誘導路形成体３６、減速リブとしての第１減速リブ３７及び第２減速リブ３８、ベース部材３９、始動入賞装置２３を構成する第１駆動機構４０及び大入賞装置２４を構成する第２駆動機構４１を備えている。なお、本実施の形態では、案内路形成部３２、第２流入路形成体３４、第１流入路形成体３３、転動路形成体３５、誘導路形成体３６及び第１減速リブ３７がカバー本体３１に形成されている例を用いて説明するが、これらはベース部材３９に形成してもよい。また、本実施の形態では、第２減速リブ３８がベース部材３９に形成されている例を用いて説明するが、この第２減速リブ３８はカバー本体３１に形成してもよい。
【００２３】
入賞装置ユニット２１を構成する各部の詳細な説明をする前に、入賞装置ユニット２１における各部の配置について図３〜図８を用いて説明する。なお、上記した通り、本実施の形態では、案内路形成部３２、第２流入路形成体３４、第１流入路形成体３３、転動路形成体３５、誘導路形成体３６はカバー本体３１に形成されているが、図３においては、説明の便宜上、これらの各種部材のみをベース部材３９に配置した状態で記載している。
【００２４】
図３〜図８に示すように、入賞装置ユニット２１は、案内路形成部３２が最上部であってかつ左右方向の中央に形成されており、この案内路形成部３２を中心にして、該案内路形成部３２とは所定間隔をあけて第２流入路形成体３４及び第１流入路形成体３３が配置されている。この時、案内路形成部３２と第２流入路形成体３４との間には、遊技球が流入される第２流入口４３が形成され、案内路形成部３２と第１流入路形成体３３との間には、遊技球が流入される第１流入口４２が形成されている。また、案内路形成部３２、第２流入路形成体３４及び第１流入路形成体３３の下方には、第１駆動機構４０が有する第１球受け部材６３が進出する第１球受け部材進退孔４４が開口形成されるとともに、この第１球受け部材進退孔４４の下流側に、該第１球受け部材進退孔４４と連続するように始動入賞口４５が開口形成されている。
【００２５】
また、この第１球受け部材進退孔４４の上方には、第２減速リブ３８が前方に向けて突出形成されており、第１球受け部材進退孔４４の下部には、該第１球受け部材進退孔４４に沿いながら前方に向けて突出する突出リブ４７が形成されている。第１球受け部材進退孔４４から第１球受け部材６３が進出する進出位置にある時は、第２流入口４３又は第１流入口４２のいずれかから流入してきた遊技球が該第１球受け部材６３上を転動することができるようになっている。また、遊技球は、このように第１球受け部材６３上を転動している間に該第１球受け部材６３が進出位置から第１球受け部材進退孔４４の中に引きこまれた退避位置まで移動した場合には、該第１球受け部材６３上から落下し、第１球受け部材進退孔４４のさらに下方に向けて流下するようにもなっている。
【００２６】
遊技球は、第１球受け部材６３が退避位置に位置している場合には、第２流入路形成体３４又は第１流入路形成体３３から第１球受け部材進退孔４４のさらに下方に位置する転動路形成体３５上に直接流下する。この場合、第２流入路形成体３４又は第１流入路形成体３３から転動路形成体３５までの間に高低差があるため、転動路形成体３５上に到達した遊技球は、該転動路形成体３５上で跳ね返ることがある。このように、遊技球が跳ね返ると、その跳ね返った遊技球がそのまま始動入賞口４５に入賞したり、遊技球が跳ね返っている間に進出位置まで第１球受け部材６３が進出した場合にはこの進出してきた第１球受け部材６３上に遊技球が乗り、始動入賞口４５に向けて転動するおそれがある。このような跳ね返った遊技球による始動入賞口４５への誤った入賞が発生するのを防ぐために、上記した突出リブ４７が形成されている。この突出リブ４７は、上記したように転動路形成体３５上において跳ね返った遊技球の跳ね返り量を減らし、第１球受け部材進退孔４４よりも高い位置まで遊技球が到達することを確実に防止すことができ、上記した誤った入賞が発生しないようにすることができるようになっている。
【００２７】
第１球受け部材進退孔４４の下方には、転動路形成体３５及び誘導路形成体３６が配置されている。誘導路形成体３６は、転動路形成体３５に対して下方に位置し、該転動路形成体３５の一部と連続するように形成されている。つまり、誘導路形成体３６は、転動路形成体３５から下向きに分岐し、転動路形成体３５上を転動する遊技球が流入することができるように形成されている。転動路形成体３５は、第２流入路形成体３４若しくは第１流入路形成体３３の上を転動していた遊技球又は第１球受け部材６３上を転動した後に落下してきた遊技球を受け止めて、この受け止めた遊技球を転動させることができるように形成されている。また、転動路形成体３５は、該転動路形成体３５上を転動する遊技球が該転動路形成体３５の一定の方向、即ち本実施の形態では、入賞装置ユニット２１を正面から見た場合における左側から右側に下り傾斜するように設けられている。
【００２８】
なお、図３において記載されている符号３７は、カバー本体３１の裏面に形成されている第１減速リブである。この第１減速リブ３７は、第１球受け部材進退孔４４が形成されている高さ位置に沿う高さ位置であって、第２減速リブ３８とは左右方向においてずれた位置に突出形成されている。
【００２９】
カバー本体３１は、ベース部材３９の前方に、該ベース部材３９との間に所定の間隔を形成するようにしてネジ止め等の方法によって取付固定されている。このカバー本体３１は、前面が装飾面５１となっており、遊技機１のコンセプトに合う各種の絵柄や模様等が描かれている。例えば、本実施の形態に係るベース部材３９は、装飾面５１にＶ字状の模様が付されているが、装飾面５１に付される絵柄や模様はこれに限定されるものではなく、他の絵柄や模様等であってもよい。
【００３０】
また、カバー本体３１は、後面に案内路形成部３２、第２流入路形成体３４、第１流入路形成体３３、転動路形成体３５、誘導路形成体３６及び第１減速リブ３７が形成されている。これらは、カバー本体３１と一体的に形成されていてもよいし、又はカバー本体３１とは別体で形成されてネジ止め等の方法により取付固定するようにしてもよい。
【００３１】
案内路形成部３２は、カバー本体３１の上部であって、該カバー本体３１の左右方向の略中央に形成されている。案内路形成部３２は、カバー本体３１の後面から後方に向けて延出しており、上方は遊技球が流入可能な幅を有するように開口された略Ｖ字形状に形成されている。
【００３２】
第２流入路形成体３４は、図３に示すように入賞装置ユニット２１を正面から見た場合における左側に位置するように配置されている。また、第２流入路形成体３４は、案内路形成部３２を中心として、該案内路形成部３２との間に所定間隔、例えば遊技球１個分の直径以上かつ遊技球２個分の直径未満の間隔を有するように配置されている。また、第２流入路形成体３４には、カバー本体３１の後面から後方に向けて所定幅を有する第２流入面５４が形成されている。この第２流入面５４は、遊技領域１６を流下してきた遊技球が第２流入路５５上を転動することができるように形成されている。第２流入面５４は、遊技球が転動することのできる幅を有しており、よりスムーズに遊技球が転動するために遊技球１個分の直径よりも広く、かつ遊技球２個分の直径よりも狭くなるように形成されていることが好ましい。また、第２流入路形成体３４は、案内路形成部３２に遠い側となる一端側から該案内路形成部３２に近い側となる他端側に向けて、θ２の角度で下り傾斜するように形成されており、第２流入面５４上を転動する遊技球が他端側に向けて転動していくように形成されている。また、第２流入路形成体３４は、遊技球が転動する長手方向の長さがＬ２となるように形成されている。
【００３３】
上記した通り、第２流入路形成体３４は、案内路形成部３２との間に所定間隔を有するように配置されている。この所定間隔をもって、第２流入路形成体３４及び案内路形成部３２の間に形成された空間は、第２流入路形成体３４の第２流入面５４上を転動した後に第２流入路形成体３４の下方に流下する遊技球が流入する第２流入口４３となっている。
【００３４】
この第２流入口４３は、始動入賞口４５の上方であって、かつこの始動入賞口４５とは水平方向に異なる位置、また後述する第１流入口４２よりも始動入賞口４５に遠い位置に形成されている。この第２流入口４３は、第２流入面５４上を転動してきた遊技球がスムーズに流入するような幅を有するように形成されている。具体的には、第２流入口４３は、遊技球１個分の直径よりも広く、かつ遊技球２個分の直径よりも狭くなるように形成されていることが好ましい。なお、この第２流入口４３から流入する遊技球は、第２流入路形成体３４の第２流入面５４上を転動した後に該第２流入口４３に流入する。また、この第２流入面５４上を転動する遊技球は、左右方向においては始動入賞口４５に近づく方向に向けて転動している。したがって、この第２流入口４３から流入する遊技球は、その下方の転動路５６においては、流入時と同じく始動入賞口４５と同じ方向、即ち始動入賞口４５に近づく方向に順次流下するようになっている。
【００３５】
第１流入路形成体３３は、入賞装置ユニット２１を正面から見た場合における右側に位置するように配置されている。また、第１流入路形成体３３は、案内路形成部３２を中心として該案内路形成部３２との間に所定間隔、例えば遊技球１個分の直径以上かつ遊技球２個分の直径未満の間隔を有するように配置されている。また、第１流入路形成体３３には、カバー本体３１の後面から後方に向けて所定幅を有する第１流入面５２が形成されている。この第１流入面５２は、遊技領域１６を流下してきた遊技球が第１流入路５３上を転動することができるように形成されている。この第１流入面５２は、遊技球が転動することのできる幅を有しており、よりスムーズに遊技球が転動するために遊技球１個分の直径よりも広く、かつ遊技球２個分の直径よりも狭くなるように形成されていることが好ましい。また、この第１流入面５２の幅は、第２流入面５４の幅と同じであってもよいし、異なっていてもよい。さらに第１流入路形成体３３は、案内路形成部３２に遠い側となる一端側から該案内路形成部３２に近い側となる他端側に向けて、θ１の角度で下り傾斜するように形成されており、第１流入面５２上を転動する遊技球が他端側に向けて転動していくようにも形成されている。また、第１流入路形成体３３は、遊技球が転動する長手方向の長さがＬ１となるように形成されている。
【００３６】
第１流入路形成体３３は、案内路形成部３２との間に所定間隔を有するように配置されている。この所定間隔をもって第１流入路形成体３３及び案内路形成部３２の間に形成された空間は、第１流入路形成体３３の第１流入面５２上を転動した後に第１流入路形成体３３の下方に流下する遊技球が流下する第１流入口４２となっている。
【００３７】
この第１流入口４２は、始動入賞口４５の上方であって、かつこの始動入賞口４５とは水平方向に異なる位置、また第２流入口４３よりも始動入賞口４５に近い位置に形成されている。この第１流入口４２は、第１流入面５２上を転動してきた遊技球がスムーズに流入するような幅を有するように形成されている。具体的には、第１流入口４２は、遊技球１個分の直径よりも広く、かつ遊技球２個分の直径よりも狭くなるように形成されていることが好ましい。なお、この第１流入口４２から流入する遊技球は、第１流入路形成体３３の第１流入面５２上を転動した後に該第１流入口４２に流入する。また、この第１流入面５２を転動する遊技球は、左右方向においては、始動入賞口４５から離れる方向に向けて転動している。したがって、この第１流入口４２から流入する遊技球は、その下方の転動路５６においては、まずは流入時と同じく始動入賞口４５から遠ざかる方向に向けて順次流下するようになっている。この第１流入口４２から流入した遊技球は、上記した方向に転動すると、その後に始動入賞口４５に近づく方向に向けて転動するように方向を変え、始動入賞口４５に向けて入賞するようになっている。
【００３８】
上記した通り、第２流入路形成体３４は、遊技球が転動する長手方向の長さがＬ２となるように形成されており、第１流入路形成体３３は、遊技球の転動する長手方向の長さがＬ１となるように形成されている。そして、このＬ１の長さとＬ２の長さとを比較すると、Ｌ１＜Ｌ２、即ち、第２流入路形成体３４の長手方向の長さの方が第１流入路形成体３３の長さよりも短くなるように形成されている。また、これら第２流入路形成体３４と第１流入路形成体３３の一端側の端部の高さ位置及び他端側の端部の高さ位置は略同じ高さ位置となるように形成されている。したがって、第２流入路形成体３４が一端側端部から他端側端部に向けて下り傾斜する傾斜角度θ２と、第１流入路形成体３３が一端側端部から他端側端部に向けて下り傾斜する傾斜角度θ１との間には、θ１＞θ２、即ち、θ１がθ２よりも大きくなるように形成されている。
【００３９】
なお、本実施の形態での入賞装置ユニット２１では、第２流入口４３及び第１流入口４２は、高さ方向の位置においてはどちらも同程度の高さ位置となるように形成されているが、これら第２流入口４３及び第１流入口４２は、どちらか一方が他方に比べて高さ位置がことなるように形成されていてもよい。また、これら第２流入口４３及び第１流入口４２の大きさは同じであってもよいし異なっていてもよい。
【００４０】
転動路形成体３５は、入賞装置ユニット２１を正面から見た場合に該入賞装置ユニット２１の左側端部から右側端部に亘って形成されており、該左側端部から右側端部に向けて下り傾斜するように形成されている。また、転動路形成体３５には、左右方向中央よりも右側の位置、即ち左右方向中央から下り傾斜した後のさらに下流側の位置には、転動路５６から分岐して遊技球が大入賞口５８に向けて誘導する誘導路５９となる誘導面６０を有する誘導路形成体３６が形成されている。
【００４１】
この転動路形成体３５は、カバー本体３１の後面から後方に向けて所定幅を有する転動面５７が形成されており、この転動面５７が遊技球の転動する転動路５６となっている。この所定幅とは、遊技球１個が転動することのできる幅を意味する。また、転動路５６の上面には、遊技領域１６を流下してきた遊技球が転動可能な転動面５７が形成されている。
【００４２】
また、この転動路５６は、左右方向左側の一端部における傾斜角度θ３と、それ以外の箇所における傾斜角度θ４とが異なり、θ３＞θ４と言う関係になるように形成されている。すなわち、転動路５６は、左側の傾斜角度が最も大きく、そこから順次右側へ行くにつれて、傾斜角度が緩くなるように形成されており、さらに傾斜角度が所定の角度にまで到達すると、それ以降はその角度を維持するように直線状に形成されている。これは、第１流入口４２から流入してきた遊技球が転動路５６上に落下してきた後に該転動路５６上を転動する場合、第１流入口４２から流入してきた遊技球は左側に向かって転動するので、この転動方向を変更した方向に向けて転動させるからである。なお、この転動路５６の傾斜角度は、順次上流側から下流側に向けて転動するように形成されていればよく、その傾斜角度などは他の形状や角度であってもよい。
【００４３】
この転動路５６には、誘導路５９と連通する箇所に遊技球が転動路５６から誘導路５９に誘導可能な幅を有する開口が形成されており、この開口は第３流入口６１として形成されている。第３流入口６１は、後述する第２球受け部材６４により常時閉まっており、所定の条件が成立した場合にのみ第２球受け部材６４が退避して遊技球が誘導されるように形成されている。
【００４４】
誘導路形成体３６は、転動路形成体３５の下流側において、該転動路形成体３５から分岐するように形成されている。この転動路形成体３５は、一端が転動路形成体３５と連通し、他端には大入賞口５８が開口形成されている。この誘導路形成体３６は、遊技球が１個ずつスムーズに流入することのできる幅を有するように形成されており、該転動路形成体３５の下方に向けて延出するともに途中で屈曲して大入賞口５８に向かうように形成されている。なお、この誘導路形成体３６は、転動路形成体３５の転動面５７上を転動する遊技球が大入賞口５８まで案内されるように形成されていれば良く、上記した構成に限定されるものではない。
【００４５】
第１減速リブ３７は、左右方向においては案内路形成部３２の下方であって、かつ高さ位置においては第２流入路形成体３４及び第１流入路形成体３３よりも下方に位置するところに配置されるように形成されている。この位置は、第１球受け部材６３が第１球受け部材進退孔４４から進出位置まで進出している時に、該第１球受け部材６３の第１球受け面８４の上で遊技球が転動している場合、この転動している遊技球が衝突する位置である。
【００４６】
即ち、この第１減速リブ３７は、第１球受け部材６３上を転動している遊技球の転動速度を減速させるためのものである。この第１減速リブ３７は、楔状をなすように形成されており、第１流入口４２に近い側が、第１球受け部材６３の第１球受け部８１の幅を順次狭くする、言い換えればカバー本体３１の後面から後方に向けて、突出量が順次増加する斜面状に形成されており、第２流入口４３に近い側が断面状に形成されている。言い換えれば、第１減速リブ３７は、第２流入路５５と対向する面は、カバー本体３１の後面と略直角となるように形成され、第１流入路５３と対向する面は、カバー本体３１の後面とは所定の角度をもって突出するように形成されている。
【００４７】
この第１減速リブ３７は、左右方向においては、案内路形成部３２の下方、言い換えれば入賞装置ユニット２１の略中央に形成されている。そのため、第１球受け部材６３が進出位置に位置している場合において、第２流入口４３から流入して第１球受け部材６３の上を転動してくる遊技球を第１減速リブ３７に衝突させて大きく減速させることができるようになっている。また、この第１減速リブ３７は、第１流入口４２から流入して第１球受け部材６３の上を転動してくる遊技球に対しては、第２流入口４３から流入してきた遊技球に対してよりも弱い衝突させることでも減速させることができるようになっている。
【００４８】
第２減速リブ３８は、左右方向においては第１減速リブ３７よりも始動入賞口４５に近い側の所定位置であって、かつ高さ位置においては第２流入路形成体３４及び第１流入路形成体３３よりも下方に位置するところに配置されるように形成されている。この位置は、第１球受け部材６３が第１球受け部材進退孔４４から進出位置まで進出している時に、該第１球受け部材６３の第１球受け面８４上で遊技球が転動している場合、この転動している遊技球と衝突する位置である。
【００４９】
即ち、この第２減速リブ３８は、第１球受け部材６３上を転動している遊技球の転動速度を減速させるためのものである。この第２減速リブ３８は凸状に突出するように形成されており、第２流入口４３に近い側及び第１流入口４２に近い側のいずれの面も、ベース部材３９の前面と略直角となるように形成されている。
【００５０】
ベース部材３９は、第１球受け部材進退孔４４及び始動入賞口４５、並びに第２球受け部材進退孔４６及び大入賞口５８を備えている。また、ベース部材３９には、後面側に始動入賞装置２３を構成する第１駆動機構４０と、大入賞装置２４を構成する第２駆動機構４１とが取付固定されている。ベース部材３９は、入賞装置ユニット２１のベースとなる部材であり、遊技盤１１にネジ止め等によって取付固定される。また、このベース部材３９には、左右方向中央であって、該ベース部材３９の上部に一般入賞口４８へ案内される案内路４９が切欠き状に形成されている。
【００５１】
第１球受け部材６３が進退する進退口としての第１球受け部材進退孔４４は、第１駆動機構４０を構成する第１球受け部材６３が退避位置と進出位置との間で進退する時に通過する孔である。本実施の形態では、この第１球受け部材進退孔４４は、遊技機１を正面から見た場合に、始動入賞口４５から左側に向けて延出形成された横長の孔となるように形成されている。この第１球受け部材進退孔４４は、第１球受け部材６３の板厚と略同じか、又は第１球受け部材６３の板厚より若干大きな幅を有するように開口形成されている。この第１球受け部材進退孔４４は、始動入賞口４５が左右方向右側に開口形成されているため、左右方向の略中央から右側に向けて延出するように形成されている。これは、第１球受け部材６３が第２流入口４３及び第１流入口４２から流入してくる遊技球を受け入れることができるように形成されているために、第１球受け部材進退孔４４もそれに伴って第２流入口４３及び第１流入口４２から流入してくる遊技球を第１球受け部材６３が受け入れられる位置に開口形成したことによる。
【００５２】
入賞口としての始動入賞口４５は、始動入賞装置２３に形成されている入賞口であって、遊技球が１個ずつ入賞することのできる大きさに開口形成されている。この始動入賞口４５は、第１球受け部材６３が退避位置と進出位置との間で進退する際に通過する第１球受け部材進退孔４４と連続して開口形成されている。即ち、始動入賞口４５は、第１球受け部材進退孔４４から第１球受け部材６３が進出位置に位置する時にのみ遊技球を受け入れ、第１球受け部材６３が退避している時には遊技球を受け入れないようになっている。なお、始動入賞口４５の奥には、始動入賞口４５に入賞した遊技球の通過を検知するためのセンサ部材（図示せず）が設けられており、始動入賞口４５に遊技球が入賞したことを電気的に検知することができるようになっている。
【００５３】
第２球受け部材進退孔４６は、第２球受け部材６４が退避位置と進出位置との間で進退する際に通過する孔である。本実施の形態では、転動路５６における第３流入口６１を開閉することができる位置に形成されており、この第２球受け部材６４上の面と転動面５７とが略同一の高さ位置となるよう形成されている。
【００５４】
大入賞口５８は、大入賞装置２４に形成されている入賞口であって、誘導路５９の終端部において開口形成されている。この大入賞口５８は、遊技球が１個ずつ入賞することのできる大きさに開口形成されている。なお、大入賞口５８の奥には、該大入賞口５８に入賞した遊技球の通過を検知するためのセンサ部材（図示せず）が設置されており、大入賞口５８に遊技球が入賞したことを電気的に検知することができるようになっている。
【００５５】
第１駆動機構４０は、第１ソレノイド７１、第１プランジャ７２、第１従動部材７３及び第１球受け部材６３を備えている。第１ソレノイド７１は、図示しない電源装置からの給電を受けて、該第１ソレノイド７１に挿入されている第１プランジャ７２を進出させたり退避させることで第１プランジャ７２を進退させることができるように構成されている。なお、第１ソレノイド７１及び第１プランジャ７２は従来から公知のものを任意に選択して用いてよい。
【００５６】
第１従動部材７３は、第１プランジャ７２に形成されている第１鍔部７４と係合する第１係合部７５、第１プランジャ７２の移動に伴って前進又は後退する際の回転軸となる第１回転軸部７６、第１球受け部材６３の後述する第１受け部と係合する第１突出部７７を備えている。第１係合部７５は、第１プランジャ７２の第１鍔部７４を配置可能に形成されており、第１プランジャ７２が進退すると、その進退の動作が確実に伝達されるように構成されている。本実施の形態では、第１係合部７５は、第１鍔部７４の前側に位置する突起部７８と、第１鍔部７４の後側に位置する係合壁部７９と、これら突起部７８及び係合壁部７９との間に形成された第１挿入部８０とを備えている。第１挿入部８０に挿入された第１プランジャ７２の第１鍔部７４の動作によって、例えば第１プランジャ７２が第１ソレノイド７１の中に引きこまれる動作を行うと第１鍔部７４が突起部７８と当接しながら、第１回転軸部７６を回転中心として第１ソレノイド７１が引き込まれる方向に動作し、逆に第１プランジャ７２が第１ソレノイド７１から飛び出る方向への動作を行うと、第１鍔部７４が係合壁部７９と当接しながら、第１回転軸部７６を回転中心としながら第１プランジャ７２が第１ソレノイド７１から飛び出る方向に動作するようになっている。また、この時、第１突出部７７も第１プランジャ７２が第１ソレノイド７１に引き込まれる方向又は第１プランジャ７２が第１ソレノイド７１から進出する方向に移動する。後述するように、第１突出部７７は第１球受け部材６３の第１突出受け部８３と係合しているため、第１従動部材７３が上記したように動作すると、第１突出部７７と第１突出受け部８３とが係合し合って、第１球受け部材６３を進退させるような動作を行わせるようにもなっている。
【００５７】
第１球受け部材６３は、第１球受け部８１、第１ストッパ部８２及び第１突出受け部８３を備えており、第１突出受け部８３が形成されている箇所から前方に延びた箇所に第１ストッパ部８２が形成され、この第１ストッパ部８２が形成されている箇所の前側近傍において左右方向に屈曲するように形成された略Ｌ字形となるように形成されている。この第１球受け部材６３は、少なくとも一部が第２流入口４３の直下に位置するように配置されるとともに、この第２流入口４３から流入した遊技球を始動入賞口４５に向けて誘導する進出位置と、遊技球をそのさらに下方に流下させる退避位置との間で進退可能に形成されている。また、この第１球受け部材６３には、遊技球が転動可能な球受け面としての第１球受け面８４が形成されている。なお、第２流入口４３から流入した遊技球が始動入賞口４５に向けて第１球受け面８４上を転動している時に第１球受け部材６３の第１球受け部８１が進出位置から退避位置に退避すると、第１球受け面８４上を転動していた遊技球が該第１球受け面８４から落下して、さらに第１球受け面８４の下方に流下するようになっている。
【００５８】
第１球受け部８１は、第１球受け部材６３の前方に形成されており、上面が遊技球の転動する第１球受け面８４となっており、ベース部材３９における左右方向中央部と、ベース部材３９において左右方向中央より右側に配置されている始動入賞口４５との間に位置するように配置されている。この第１球受け部８１は、ベース部材３９に開口形成されている第１球受け部材進退孔４４内に配置されており、前側の端部がベース部材３９の前面と略面一となり退避される退避位置と、前端の端部がベース部材３９の前面よりも前側に進出する進出位置との間で進退することができるように配置されている。第１球受け部８１が進出位置に位置する時は、遊技領域１６を流下する遊技球が第１球受け面８４上を転動することができる状態になっており、この第１球受け面８４上を遊技球が始動入賞口４５に向けて転動して、多くの遊技球が始動入賞口４５に入賞することができるようになっている。また、第１球受け部８１には、始動入賞口４５に近接する他端側の端部に、前端側の端部が上方に向かって立ち上がる立ち上がり部８５が形成されている。この立ち上がり部８５は、第１球受け面８４上を転動してきた遊技球の転動方向を、第１球受け部８１の長手方向から始動入賞口４５が形成されている方向に変えるためのものである。第１球受け面８４上を転動してきた遊技球の多くは、この立ち上がり部８５において転動する方向が変わり、始動入賞口４５に入賞するようになっている。
【００５９】
また、ベース部材３９において、この第１球受け部８１は、ベース部材３９の左右方向中央部に位置する一端側の端部から、始動入賞口４５が形成されている箇所に位置する他端側の端部に向けて、下り傾斜するように形成されている。そのため、ベース部材３９に形成されている第１球受け部材進退孔４４も、第１球受け部８１が下り傾斜することに伴って、下り傾斜するように開口形成されている。このようにすることで、第１球受け面８４上における遊技球が確実に一端部から他端部に向けて転動させることができるようになっている。
【００６０】
さらに、この第１球受け部８１は、始動入賞口４５が形成されている箇所に近接する他端側の端部領域においては、第１球受け部８１の他の箇所に比べて一段下がる段差が形成されており、この段差からさらに他端側に向かう下流側では、他の部分よりも下り傾斜が緩くなるか、又は水平若しくは上り傾斜となるように形成されている。このように第１球受け部８１の他端側の端部領域の傾斜を他の領域の傾斜と変えることによって、第１球受け面８４上を転動する遊技球の転動速度を下げ、先に説明した立ち上がり部８５による転動方向のしやすさをより大きくし、より確実に始動入賞口４５に向けて案内することができるようになっている。
【００６１】
第１ストッパ部８２は、第１球受け部８１の後方において、該第１球受け部８１と近接する位置に形成されている。また、この第１ストッパ部８２は、第１球受け部材６３の下部から下方に向けて突条に形成されており、この突条の前端部が後述する取付部材８９のストッパ受け部と当接させることができるように形成されている。なお、この第１ストッパ部８２は、第１球受け部材６３の第１球受け部８１を進出させる場合に、該第１球受け部８１の進出量を適切な量にすることができればよく、他の構成であってもよい。
【００６２】
第１突出受け部８３は、第１球受け部材６３の後端部に形成されており、第１従動部材７３の第１突出部７７と係合することができるように形成されている。この第１突出受け部８３は、前端縁部８６と後端縁部８７とが形成されている。前端縁部８６及び後端縁部８７は、左右方向外方に向けて突出した一対の突起状部でありこれら前端縁部８６と後端縁部８７との間に第１突出部７７が配置される空間部８８が形成されている。この第１突出受部は、第１突出部７７が前方に向けて移動すると前端縁部８６が第１突出部７７と係合することで押されて第１球受け部材６３を前方に向けて移動するように動作し、第１突出部７７が後方に向けて移動すると後端縁部８７が第１突出部７７と係合することで第１球受け部材６３を後方に向けて移動するように動作するようになっている。なお、これら前端縁部８６及び後端縁部８７は、第１突出部７７と係合することができればよく、その形状や突出状態などは限定されるものではない。
【００６３】
取付部材８９は、第１駆動機構４０をベース部材３９に取付固定するためのものであり、ベース部材３９の後面にネジ止め等によって取付固定されている。この取付部材８９は、第１駆動機構４０を構成する第１ソレノイド７１を収納する第１収納部９０と、第１従動部材７３の第１回転軸部７６を収納する第１回転軸受部９１とを備えている。第１収納部９０は、第１ソレノイド７１を収納固定することができるとともに、ネジ止め等によって、収納された第１ソレノイド７１がその状態、即ち収納された状態を維持することができるようになっている。また、第１回転軸受部９１は、後方に向けて開口して前方側が開口していないＵ字形の溝状に形成されている。この第１回転軸受部９１に第１回転軸部７６が収納され、後述する第１裏カバー本体７０に形成された第１回転受け止め部９２によって第１回転軸部７６が第１回転軸受部９１内に回転可能な状態で収納固定することができるようになっている。
【００６４】
第１裏カバー本体７０は、取付部材８９に取付固定された第１駆動機構４０をベース部材３９の後面側からカバーするためのものである。この第１裏カバー本体７０には、第１回転軸受部９１に回転自在に収納されている第１回転軸部７６が該第１回転軸受部９１内に収納された状態を維持するための第１回転軸受け止め部９２が形成されている。つまり、第１裏カバー本体７０が取付部材８９に取付固定されることによって、第１球受け部材６３の第１回転軸部７６が第１回転軸受部９１内において回転自在に収納配置されるようになっている。なお、本実施の形態では、この第１裏カバー本体７０は透明の樹脂部材で形成されているが、第１駆動機構４０を後面側からカバーしつつ保護することができればよい。
【００６５】
第２駆動機構４１は、第２ソレノイド９４、第２プランジャ９５、第２従動部材９６、伝達部材９７及び第２球受け部材６４を備えている。第２ソレノイド９４は、図示しない電源装置からの給電を受けて、該第２ソレノイド９４に挿入されている第２プランジャ９５を進出させたり退避させることで第２プランジャ９５を進退させることができるように構成されている。なお、これら第２ソレノイド９４及び第２プランジャ９５は従来から公知のものを任意に選択して用いてよい。
【００６６】
第２従動部材９６は、第２プランジャ９５に形成されている第２鍔部９７と係合する第２係合部９９、伝達部材９７に駆動力を伝達するための伝達部１００を備えている。第２係合部９９は、第２プランジャ９５の第２鍔部９７を配置可能に形成されており、第２プランジャ９５が進退すると、その進退の動作が伝達部材９７に対して確実に伝達されるように構成されている。本実施の形態では、第２係合部９９は、第２鍔部９７の前側に位置する前壁部１０１と、第２鍔部９７の後側に位置する後壁部１０２と、これら前壁部１０１及び後壁部１０２の間に形成された第２挿入部１０３とを備えている。第２挿入部１０３に挿入された第２鍔部９７を介して第２プランジャ９５が動作すると、該第２プランジャ９５の動作に沿って第２従動部材９６が動作するようになっている。即ち、第２プランジャ９５が第２ソレノイド９４の中に引きこまれる動作又は第２ソレノイド９４から進出する動作を行うと第２鍔部９７を介して第２従動部材９６も第２プランジャ９５の動作と同じ方向に動作するようになっている。
【００６７】
伝達部材９７は、第２従動部材９６の動作を第２球受け部材６４に伝達するためのもので、第２回転軸部１０４、伝達受け部１０５及び従動受け部１０６とを備えている。第２回転軸部１０４は、第２従動部材９６から駆動力が付与された時に、伝達部材９７の回転中心となるように構成されている。この第２回転軸部１０４は、後述する第２裏カバーに対してネジ止め等によって回転自在に取付固定されており、駆動力を受けるとその駆動力に伴った量だけ回転することができるように形成されている。
【００６８】
伝達受け部１０５は、第２従動部材９６の伝達部１００と係合し、第２従動部材９６が移動するとその移動に伴う駆動力を伝達することができるように形成されている。本実施の形態では、伝達受け部１０５は孔状に形成されており、伝達部１００として形成されている突起がこの伝達受け部１０５の孔に差し込まれるように配置され、伝達部１００が移動するとその移動が伝達されるようになっている。なお、本実施の形態では、伝達部１００が突起状に形成され、伝達受け部１０５が孔状に形成されているが、伝達受け部１０５は第２従動部材９６の移動を伝達することができればよく、他の構成であってもよい。
【００６９】
従動受け部１０６は、第２従動部材９６による駆動力を受けた伝達部材９７が、この駆動力を第２球受け部材６４に伝達させるためのものである。この従動受け部１０６は孔状に形成されており、第２球受け部材６４に形成されている従動部１０９と連結して、伝達部材９７の動作を第２従動部材９６に伝達することができるようになっている。なお、本実施の形態では、従動受け部１０６が孔状に形成され、従動部１０９が従動受け部１０６に嵌合する突起状に形成されている例を用いて説明したが、従動受け部１０６及び従動部１０９の構成は、伝達部材９７から第２球受け部材６４に動作及び駆動力を伝達することができればよく、他の構成であってもよい。
【００７０】
第２球受け部材６４は、第２球受け部１０７、第２ストッパ部１０８及び従動部１０９を備えており、従動部１０９が形成されている箇所から左右方向に延出形成され、第２ストッパ部１０８が形成された後、前方に向けて屈曲し、前方に向けて第２球受け部１０７が形成されているという、略Ｌ字形状に形成されている。
【００７１】
第２球受け部１０７は、第２球受け部材６４の前方に形成されており、上面が遊技球の転動する第２球受け面１１０となっている。この第２球受け部１０７は、カバー本体３１に形成されている第１流入口４２の幅と略同じか、又は第１流入口４２の幅よりも若干狭い幅を有するように形成されている。この第２球受け部１０７は、ベース部材３９に開口形成されている第２球受け部材進退孔４６内に配置されており、前側の端部がベース部材３９の前面と略面一となり退避される退避位置と、前端の端部がベース部材３９の前面よりも前側に進出する進出位置との間で進退することができるように配置されている。この第２球受け部１０７は、通常は進出位置に位置しており、第１流入口４２を塞ぐように配置されている。そして、所定条件が成立した場合、例えば遊技機１における遊技状態が通常遊技状態から特別遊技状態に移行した場合には、第２球受け部１０７が進出位置から退避位置まで移動するようになっている。なお、このように第２球受け部１０７が進出位置から退避位置まで移動すると、第１流入口４２が第２球受け部１０７によって塞がれた状態から、第１流入口４２が開放された状態になり、転動面５７上を転動する遊技球が第１流入口４２から誘導路５９へと誘導され、大入賞口５８に入賞するようになっている。
【００７２】
また、ベース部材３９において、この第２球受け部１０７は、ベース部材３９の中央寄りの一端部からその反対側の他端部に向けて下り傾斜するように配置されており、第２球受け部１０７が進出位置まで進出している時は、第２球受け面１１０上を遊技球が転動することができるように形成されている。
【００７３】
第２ストッパ部１０８は、第２球受け部１０７よりも後側の位置に形成されている。この第２ストッパ部１０８は、第２球受け部材６４が進出位置に進出する時に、ベース部材３９の後面と当接するように形成されている。即ち、第２ストッパ部１０８は、第２球受け部材６４が進出位置に位置する時は、ベース部材３９の後面と当接する位置まで進出するようになっている。
【００７４】
従動部１０９は、第２球受け部材６４の後端部に形成されており、伝達部材９７の従動受け部１０６と係合することができるように形成されている。本実施の形態では、従動部１０９は、第２球受け部材６４の下面から下方に向けて突起状に突出するように形成されており、この突起状に形成された従動部１０９が伝達部材９７において孔状に形成された従動受け部１０６と嵌合するように配置される。
【００７５】
第２裏カバー本体１１１は、第２駆動機構４１をベース部材３９の後面側からカバーするためのものである。この第２裏カバー本体１１１には、第２ソレノイド９４を収納固定する第２ソレノイド収納部１１２を有すると共に、第２従動部材９６、伝達部材９７及び第２球受け部材６４を収納するための収納空間１１３が形成されている。即ち、この第２裏カバー本体１１１は、第２駆動機構４１を構成する上記した各部材をカバーすることで保護するように構成されている。この第２裏カバー本体１１１は、ベース部材３９の後面にネジ止め等によって取付固定することができるようになっている。
【００７６】
次に、本実施の形態に係る遊技機１の作用効果について説明する。まず、本実施の形態に係る遊技機１の入賞装置ユニット２１の動作について説明し、その後に本発明に係る遊技機１、具体的には入賞装置ユニット２１の作用効果について説明する。
【００７７】
まず、本実施の形態に係る遊技機１において、入賞装置ユニット２１は、通常遊技状態で遊技が行われている場合には、始動入賞装置２３の第１球受け部材６３は退避位置に位置し、大入賞装置２４の第２球受け部材６４は進出位置に位置するようになっている。即ち、始動入賞装置２３及び大入賞装置２４のいずれも、遊技領域１６を流下してきた遊技球が始動入賞口４５及び大入賞口５８のいずれにも入賞しないようになっている。したがって、遊技者が遊技を開始して遊技領域１６を遊技球が流下している場合において、一部の遊技球は第２流入路形成体３５又は第１流入路形成体３３のいずれかに到達し、その後は第２流入路５５上又は第１流入路５３上の何れかの上を第２流入口４３又は第１流入口４２に近づく方向に向けて転動する。
【００７８】
この場合、第１球受け部材６３は退避位置に位置しており、第１球受け部材進退孔４４から前側に向けて突出するように位置する進出位置にはないので、第２流入路５５上から第２流入口４３に流入した遊技球は直接転動路５６上に落下する。同様に、第１流入路５３上から第１流入口４２に流入した遊技球は直接転動路５６上に落下する。第２流入口４３から流下した遊技球は、そのまま下り傾斜する転動路５６上を転動し、かつ第２球受け部材６４の上を通過して入賞装置ユニット２１外へ流出する。また、第１流入口４２から流下した遊技球は、第２流入口４３から流下した遊技球とは反対方向に向けて直接転動路５６上に落下し、該転動路５６上を転動する。この場合、遊技球は、転動路５６上を上り傾斜する方に向けて、徐々に減速しながら転動していき、更には転動路５６上において一瞬止まった後に今度は加速しながら転動路５６上を下り傾斜する方向に向けて転動を開始する。この場合も、転動路５６上を加速しながら転動し、かつ第２球受け部材６４の上を通過して入賞装置ユニット２１外へと流出する。
【００７９】
このように、第２流入口４３及び／又は第１流入口４２から流入した遊技球は、所定の高さ位置から落下して転動路５６上に到達するため、転動路５６において上方に向けて跳ね返ることがある。このように跳ね返った遊技球は、第１球受け部材進退孔４４の下部に形成されている突出リブ４７に衝突して、上方に向けて跳ね返った勢いを低下させることができる。したがって、このように跳ね上がった遊技球は、突出リブ４７に衝突することによって始動入賞口４５に誤って入賞したり、さらには進出位置まで進出した第１球受け部材６３上に載って転動し、やはり、始動入賞口４５に誤って入賞することを予め防止することができる。
【００８０】
上記したように、遊技機１の遊技状態が通常遊技状態である場合には、上記した通りに遊技機１の各種装置は動作して、遊技球が各種入賞口に入り難い状態での遊技が継続的に行われる。ここで、例えば遊技領域１６を流下する遊技球がゲート１８を通過し、その通過が検知されると、遊技機１は第１球受け部材６３を退避位置から進出位置に向けて移動させる。このとき、第１球受け部８１を退避位置から進出位置に移動させる際には、以下のような動作が行われている。
【００８１】
図７に示すように、通常遊技状態の場合、第１駆動機構４０は、第１球受け部材６３の第１球受け部８１が退避位置に位置している。ここで、上記したように、遊技機１は、遊技球がゲート１８を通過したこと検知すると、第１ソレノイド７１への通電が開始される。第１ソレノイド７１への通電が開始されると、第１プランジャ７２は、第１ソレノイド７１から引き出た位置から、第１ソレノイド７１に引き込まれた位置まで退避する。第１プランジャ７２は、第１鍔部７４が第１従動部材７３の第１係合部７５において係合されており、第１ソレノイド７１に引き込まれた位置まで退避しようとすると、突起部７８と第１鍔部７４とが係合し合いながら動作する。
【００８２】
このとき、第１従動部材７３は、第１回転軸部７６を回転軸として第１回転軸受け部内において図９及び図１０に示すＡ方向に回動する。このように、従動部材がＡ方向に回動すると、該従動部材に形成されている第１突出部７７が第１球受け部材６３の第１突出受け部８３に係合しながら、該第１球受け部材６３を前方に向けてスライド移動させるようになる。ここで、この第１球受け部材６３は、第１ストッパ部８２がベース部材３９の裏面に当接するまで前方に向けてスライド移動し、第１ストッパ部８２によってそのスライド移動が停止される。
【００８３】
このように、第１ストッパ部８２によってスライド移動が停止されるまで第１球受け部材６３が前方に向けて移動すると、第１球受け部８１は、ベース部材３９に形成されている第１球受け部材進退孔４４内に引き込まれた退避位置から第１球受け部材進退孔４４の前方に進出する進出位置まで移動するようになり、第１球受け部材６３の第１球受け部８１が進出位置まで進出し、第１球受け面８４上に遊技球が乗り、さらには該第１球受け面８４上で遊技球が転動するようになる。
【００８４】
上記した通り、遊技機１は、通常遊技状態では、第１球受け部材６３を所定の時間だけ進出位置に位置させ、所定時間経過後は第１球受け部材６３を退避位置に位置させる。この第１時間は、第１球受け部８１の第１球受け面８４上を転動している間に、即ち第１球受け面８４上を転動して第１球受け部材６３が進出位置から退避位置まで移動する。
【００８５】
次に、所定時間経過する等のような条件が成立すると、第１ソレノイド７１への通電が遮断される。そして、第１プランジャ７２は、第１鍔部７４と第１ソレノイド７１との間に配置されているバネ部材の付勢力を受けて、第１ソレノイド７１から引き出される方向に進出する。第１プランジャ７２が第１ソレノイド７１から進出すると、第１鍔部７４が第１従動部材７３の係合壁部７９に当接しつつ後方に移動する。このように第１プランジャ７２が移動すると、第１従動部材７３は第１回転軸部７６を中心として第１回転軸受部９１内において回動する。また、このように第１従動部材７３が回動すると、それに伴って第１従動部材７３の第１突出部７７も回動を開始し、第１球受け部材６３の第１突出受け部８３が図９及び図１０中のＢ方向にスライド移動する。そして、このスライド移動は、第１球受け部８１を進出位置から退避位置まで引き込むまで行われる。
【００８６】
ここで、第１球受け部材６３が進出位置に位置している時の作用効果について説明する。本実施の形態に係る遊技機１では、第１球受け部材６３が進出位置に位置している時間が遊技の進行に応じて複数設定されている。即ち、本実施の形態に係る遊技機１では、通常遊技状態において所定時間だけ第１球受け部材６３が進出位置に位置するように設定されている第１時間と、時短状態において第１時間よりも長い所定時間だけ第１球受け部材６３が進出位置に位置するように設定されている第２時間とが設定されている。
【００８７】
まず、通常遊技状態において第１時間が設定されている時の作用効果について説明する。この時は、第１駆動機構４０が上記した通りに駆動することによって、第１球受け部材６３が退避位置から進出位置に所定時間だけ進出する。しかしながら、通常遊技状態において設定されている時間は第１時間であるから、第１球受け部材６３が進出位置に位置している時間が非常に短時間である。そのため、遊技領域１６を流下してきた後に第２流入口４３及び／又は第１流入口４２から流入してくる遊技球が第１球受け部材６３の上に到達し、その後第１球受け部材６３の上を転動した場合、該遊技球が第１球受け部材６３上を始動入賞口４５に向かって転動している途中で進出位置から退避位置に移動する。
【００８８】
このように、遊技球が第１球受け部材６３上を始動入賞口４５に向かって遊技球が転動している場合に第１球受け部材６３が進出位置から退避位置まで移動すると、球受け部材上を転動していた遊技球は始動入賞口４５まで到達せず、その更に下方に位置する転動路５６まで流下する。ここで、転動路５６では、第３流入口６１が第２球受け部材６４により閉じられているので、この転動路５６を転動した遊技球は、第３流入口６１において第２球受け部材６４の上を通過しつつ入賞装置ユニット２１外に移動する。
【００８９】
特に、本実施の形態に係る入賞装置ユニット２１によれば、第２流入口４３から流入した遊技球、第１転動路５６での下り傾斜により加速され、その後更に転動路５６での下り傾斜により加速される。そのため、その転動速度は、第１流入路５３での下り傾斜により加速された後に転動路５６での上り傾斜によって減速されつつ転動方向を変更し、最終的に転動路５６の下り傾斜で加速されつつ転動すると言ったように転動する第１流入口４２から流入した遊技球の転動速度よりも早くなる。そのため、第２流入口４３から流入した遊技球は第１減速リブ３７におけるベース部材３９とは直交する面と第２減速リブ３８におけるカバー本体３１とは直交する面とに衝突させることで大幅に転動速度を落とすことができる。
【００９０】
この時、第１減速リブ３７及び第２減速リブ３８は、第２流入口４３の側から始動入賞口４５に向けて転動する際においては、第１減速リブ３７が形成された地点の下流側に第２減速リブ３８が形成されているというように、第１減速リブ３７及び第２減速リブ３８がジグザグに配置されている。したがって、第１球受け部８１の上を転動する遊技球は、第１減速リブ３７により減速した後、第２減速リブ３８によりさらに減速されることになる。このように、第１減速リブ３７及び第２減速リブ３８によって転動速度を落とすことによって、転動する遊技球が始動入賞口４５に到達するまでに要する時間を稼ぐことができ、第１時間が設定されている間はより確実に遊技球が入賞しないようにすることができる。
【００９１】
また、第１流入口４２から流入した遊技球は、第１流入路５３で加速した後に第１球受け部材６３の上を転動する際、上り傾斜となり、減速しながら所定位置まで到達する。この時、遊技球は、減速しながら第１減速リブ３７の楔状に形成された斜面に緩やかに衝突しながら所定位置まで減速しつつ転動し、その後は第１球受け部材６３の上を始動入賞口４５に近づく方向に向けて方向を変更して転動を開始する。この時、第１減速リブ３７は楔状に形成されており、遊技球を斜面に対して緩やかに衝突させることができるので、第１減速リブ３７に衝突してすぐに始動入賞口４５が形成されている方向に向けて遊技球が流下し始めることがなく、第１減速リブ３７のさらに上流側まで到達した後に始動入賞口４５に向けて転動を開始するようにすることができる。このように遊技球を転動させることができるので、第１球受け部材６３の上を転動させる時間をより確保することができる。
【００９２】
第１減速リブ３７のさらに上流側にまで到達して一瞬転動を停止した遊技球は、今度は始動入賞口４５に向けて下り傾斜を加速しながら転動し始める。この場合には、先に第２流入口４３から流入した遊技球が転動する時の動作について説明したのと同様に、第１減速リブ３７及び第２減速リブ３８に対してジグザグに衝突を繰り返しながら大きく減速して、始動入賞口４５に向かう。そのため、この遊技球が第１球受け部材６３の上を転動する時間を大きく稼ぐことができるので、第１時間が設定されている時にはさらにより確実に、遊技球が始動入賞口４５に入賞することを防止することができる。
【００９３】
これに対して、遊技機１が時短状態になる時は、第１球受け部材６３が進出位置に位置している時間を上記した第１時間よりも長い第２時間に設定するので、上記した経路を経て始動入賞口４５に向かって転動する遊技球を始動入賞口４５まで転動させることができる。逆に言うと、第２時間は、第１球受け部材６３の上を転動する遊技球が始動入賞口４５に入賞するのを許容することのできる時間とも言える。
【００９４】
このように、本実施の形態に係る入賞装置ユニット２１は、遊技の進行状況に応じて、始動入賞口４５への遊技球の入賞を確実に防止すること、逆に始動入賞口４５への遊技球の入賞を確実に行うことのいずれもができ、遊技にメリハリをつけることができると共に、遊技者の興趣をより向上させることができる。
【００９５】
次に、第１球受け部材６３が進出位置に位置しており、さらに第１球受け面８４上を転動する遊技球が始動入賞口４５に入賞し、その結果大当り抽選に当選した場合について説明する。このように、大当り抽選に当選すると、第２球受け部材６４が進出位置から退避位置に向けて引き込む方向に移動し、第３流入口６１が開放される。そして、転動路５６の転動面５７上を転動する遊技球が第３流入口６１に流入し、さらには大入賞口５８に入賞する。遊技機１では、通常は特別遊技状態になると大量の遊技球が第に入賞口に入賞するので、遊技者は大量の賞球を獲得することができるようになる。
【００９６】
第２球受け部材６４が進出位置から退避位置に移動する場合には、図１１及び図１２に示すように、第２ソレノイド９４への給電が停止され、第２ソレノイド９４は該第２ソレノイド９４と第２ソレノイド９４との間に配置されているスプリングによる付勢力を受けて、第２ソレノイド９４から引き抜かれる方向に向けて進出する。そして第２ソレノイド９４の第２鍔部９７に取り付けられている第２従動部材９６も第２ソレノイド９４が移動するのと同じ方向に向けて移動する。
【００９７】
ここで、第２従動部材９６は、伝達部１００において伝達部材９７の伝達受け部１０５と係合しているので、第２従動部材９６がスライド移動すると、その移動に伴う駆動力は、伝達部材９７にも伝達される。ここで、伝達部材９７は、第２回転軸部１０４において回動可能に設置されているので、第２従動部材９６のスライド移動に伴う駆動力を受けると回動する。そして、伝達部材９７回動すると、該伝達部材９７の従動受け部１０６において該従動受け部１０６と係合する従動部１０９に伝達力が伝達される。このように、伝達力を伝達された第２従動部材９６は、進出位置から退避位置まで移動し、第３流入口６１が開放される。第３流入口６１が開放されると、転動面５７上を転動してきた遊技球のほとんどが大入賞口５８に次々と入賞する。そして、遊技者は大量の賞球を獲得することができる。
【００９８】
このように、本発明に係る遊技機１によれば、第２流入口４３又は第１流入口４２から流入してきた遊技球が第１球受け部材６３の第１球受け面８４上を転動していた遊技球が始動入賞口４５にしない場合、第１球受け部８１のさらに下方に流下するように構成されているので、通常では始動入賞口４５に入賞することを想定していない遊技球が始動入賞口４５に入賞して、本来遊技者に提供するはずの遊技の進行にバラつきを生じさせるようなことを確実に解消することができる。したがって、本発明に係る遊技機１によれば、本来ならば遊技者に提供するゲーム性を遊技者に対して提供することができ、遊技を安定かつスムーズに進行させることが可能になる。また、遊技者に対しても遊技の興趣を低減させずに遊技を行わせることが可能になる。
【００９９】
なお、本発明に係る遊技機の一例を詳細に説明したが、本発明に係る遊技機はこの態様に限定されるものではなく、本発明の趣旨を逸脱しない範囲において、適宜変更してよい。
【符号の説明】
【０１００】
１  遊技機
１１  遊技盤
１２  センター役物
１６  遊技領域
２１  入賞装置ユニット
２２  一般入賞装置
２３  始動入賞装置
２４  大入賞装置
３１  カバー本体
３３  第１流入路形成体
３４  第２流入路形成体
３５  転動路形成体
３６  誘導路形成体
３７  第１減速リブ
３８  第２減速リブ
３９  ベース部材
４０  第１駆動機構
４１  第２駆動機構
４２  第１流入口
４３  第２流入口
４４  第１球受け部材進退孔
４５  始動入賞口
４６  第２球受け部材進退孔
４７  突出リブ
５２  第１流入面
５３  第１流入路
５４  第２流入面
５５  第２流入路
５６  転動路
５７  転動面
５８  大入賞口
５９  誘導路
６０  誘導面
６１  第３流入口
６３  第１球受け部材
６４  第２球受け部材
【図１】
2018000300.tif 000003
【図２】
2018000300.tif 000004
【図３】
2018000300.tif 000005
【図４】
2018000300.tif 000006
【図５】
2018000300.tif 000007
【図６】
2018000300.tif 000008
【図７】
2018000300.tif 000009
【図８】
2018000300.tif 000010
【図９】
2018000300.tif 000011
【図１０】
2018000300.tif 000012
【図１１】
2018000300.tif 000013
【図１２】
2018000300.tif 000014